(57)【要約】      （修正有）【課題】  送信先に応じて画像データに属性データを付加するかしないかを切り替えることを可能にする。【解決手段】  複合機以外の機器、例えばコンピュータ等に送信する際には属性データが不要なので画像データのみを送信することにより送信データ量を選らすことができ、一方、複合機に送信する際には、画像データと共に属性データも付加して送信することにより、受信側の複合機でその画像をプリントする際、付加された属性データを用いて画像処理を行うことが可能となるため、高画質の出力が行うことが可能となる。【選択図】  図１
2006148445.tif 000002
【特許請求の範囲】
【請求項１】
画像データを記録媒体に画像出力する画像処理装置であって、
原稿画像を読み取る読み取り手段と、入力画像から画像の特徴を検出する特徴検出手段と、前記特徴検出手段により検出された画像特徴をもとに画像属性として属性データを生成する属性データ生成手段と、画像データを記憶媒体に格納する画像データ格納手段と、前記属性データ生成手段により生成された属性データを記憶媒体に格納する属性データ格納手段と、画像データを送信する画像データ送信手段と、画像データに属性データを付加して送信する属性データ付加送信手段と、送信先に応じて前記画像データ送信手段により画像データのみを送信するかもしくは前記属性データ付加送信手段を用いて画像データに属性データを付加して送信するかを切り替える送信制御手段と
を有することを特徴とする画像入出力装置。
【発明の詳細な説明】
【技術分野】
【０００１】
本発明は、画像入力装置と画像送信出力装置に関わる発明である。
【背景技術】
【０００２】
従来、スキャナから読み取った画像データをネットワークを介してコンピュータや複合機等に送信する機能や、スキャナから読み取った画像データや、ホストコンピュータからネットワークを介して送られたＰＤＬデータをビットマップに展開した画像データをハードディスクなどのメモリに一旦記憶し、そのメモリから任意の原稿の画像データを繰り返し読み出してプリントアウトする機能を備えたデジタル複合機が知られている。
【０００３】
また、このハードディスクなどのメモリをプリント出力用のテンポラリ画像メモリとして使用するだけでなく、ユーザ毎、部署毎等、論理的にパーティションを切ることで、そこに機密文書やよく使用する文書を入れておき、必要なときに複合機の操作パネルからユーザパスワードを入力してプリントしたり、ネットワークに接続されたコンピュータや別の複合機にボックス内の文書を転送したりすることができるパーソナルボックス機能が実現されている。このような装置では１つの原稿画像から、転送に適したフォーマット、印刷に適したフォーマットでディスクに複数種類の画像を格納する装置が可能である。
【０００４】
又、属性データを活用する別の従来例としては、特許文献１をあげることが出来る。
【特許文献１】特開平１１−１４４０３３号公報
【発明の開示】
【発明が解決しようとする課題】
【０００５】
従来はスキャナから読み取った画像データもしくはボックス内のデータを、ネットワークを介してコンピュータや複合機等に送信する際に、送信先によらず常に画像データのみを送信していた。しかしながら、送信先が複合機である場合、画像データを受信した複合機において受信した画像データを出力する際に属性データ（文字／写真、カラー／白黒等、各画素の属性を示すデータ）がないため、写真／文字等、画像データに適した画処理切り替えが行えず、出力画像の画質がよくならないという不具合があった。
【課題を解決するための手段】
【０００６】
画像データを記録媒体に画像出力する画像処理装置であって、
原稿画像を読み取る読み取り手段と、入力画像から画像の特徴を検出する特徴検出手段と、前記特徴検出手段により検出された画像特徴をもとに画像属性として属性データを生成する属性データ生成手段と、画像データを記憶媒体に格納する画像データ格納手段と、前記属性データ生成手段により生成された属性データを記憶媒体に格納する属性データ格納手段と、画像データを送信する画像データ送信手段と、画像データに属性データを付加して送信する属性データ付加送信手段と、送信先に応じて前記画像データ送信手段により画像データのみを送信するかもしくは前記属性データ付加送信手段を用いて画像データに属性データを付加して送信するかを切り替える送信制御手段と
を有することを特徴とする。
【発明の効果】
【０００７】
以上説明したように、本発明によれば、送信先に応じて画像データに属性データを付加するかしないかを切り替えることが可能となる。すなわち、複合機以外の機器、例えばコンピュータ等に送信する際には属性データが不要なので画像データのみを送信することにより送信データ量を減らすことができ、一方、複合機に送信する際には、画像データと共に属性データも付加して送信することにより、受信側の複合機でその画像をプリントする際、付加された属性データを用いて画像処理を行うことが可能となるため、高画質の出力が行うことが可能となる。
【発明を実施するための最良の形態】
【０００８】
（第１実施形態）
図１は、本発明の第１実施形態を示す画像処理装置を適用する画像処理システムの一例を示す図である。
【０００９】
図１において、２００は画像入力装置（リーダ部）で、原稿画像を光学的に読み取り、所定のデータ形式の画像データに変換する。リーダ部２００は、原稿を読み取るための機能を備えるスキャナユニット２１０と、原稿用紙を搬送するための機能を持つ原稿給送ユニット２５０とから構成されている。
【００１０】
３００はプリンタ部（画像出力装置）で、記録紙を搬送して、その紙面上に画像データを可視画像として印刷して装置外に排紙する。プリンタ部３００は、複数種類の記録紙カセットを持つ給紙ユニット３１０と、画像データを転写、定着させる機能を持つマーキングユニット３２０と印刷された記録紙をソートして機外へ出力する機能を持つ排紙ユニット３３０とで構成される。
【００１１】
１１０は制御装置（コントローラ部）で、リーダ部２００を制御して、原稿の画像データを読み込み、プリンタ部３００を制御して画像データを記録用紙に出力してコピー機能を提供する。１５０は操作部で、制御装置１１０に接続され、例えば液晶タッチパネルで構成され、画像入出力システムを操作するためのユーザインタフェースを提供する。
【００１２】
図２は、図１に示したリーダ部２００およびプリンタ部３００の構成を説明する概略断面構成図であり、図１と同一のものには同一の符号を付してある。
【００１３】
図２において、２５０は原稿給送ユニットで、リーダ部２００に装着されて、原稿トレイに載置された原稿を先頭順にプラテンガラス２１１上へ給送し、原稿の読み取り動作後、プラテンガラス２１１上の原稿を排出する。
【００１４】
この際、原稿がプラテンガラス２１１上に搬送されると、ランプ２１２を点灯し、そして、光学ユニット２１３の移動を開始させて原稿を露光走査する。この時、原稿からの反射光は、ミラー２１４〜２１６及びレンズ２１７によってＣＣＤイメージセンサ（以下ＣＣＤと呼ぶ）２１８へ導かれる。このように、走査された原稿の画像は、ＣＣＤ２１８によって読み取られる。
【００１５】
２２２はリーダ画像処理回路部であり、ＣＣＤ２１８から出力される画像データに所定の処理を施し、スキャナＩ／Ｆ１４０を介して制御訴追１１０へ出力する。３５２はプリンタ画像処理回路部であり、プリンタＩ／Ｆ１４５を介して制御装置１１０から送られる画像信号をレーザドライバへ出力する。
【００１６】
プリンタ部３００のレーザドライバ３１７は、レーザ発光部３１３〜３１６を駆動するものであり、プリンタ画像処理部３５２から出力された画像データに応じたレーザ光をレーザ発光部３１３〜３１６を発光させる。このレーザ光は、ミラー３４０〜３５１によって、感光ドラム３２５〜３２８に照射され、感光ドラム３２５〜３２８にはレーザ光に応じた潜像が形成される。
【００１７】
３２１〜３２４はそれぞれブラック（Ｂｋ）、イエロー（Ｙ）、シアン（Ｃ）、マゼンタ（Ｍ）のトナーによって、潜像を現像する現像器であり、現像された各色のトナーは、用紙に転写されフルカラーのプリントアウトがなされる。
【００１８】
用紙カセット３６０，３６１及び手差しトレイ３６２のいずれかより、レーザ光の照射開始と同期したタイミングで給紙された用紙は、レジストローラ３３３を経て、転写ベルト３３４上に吸着されて搬送される。
【００１９】
そして、感光ドラム３２５〜３２８に付着された現像剤を記録しに転写する。現像剤ののった記録紙は定着部３３５に搬送され、定着部３３５の熱と圧力により現像剤は記録紙に定着される。定着部３３５を通過した記録紙は排出ローラ３３６によって排出され、排出ユニット３７０は排出された記録紙を束ねて記録紙の仕分けをしたり、仕分けされた記録紙のステイプルを行う。
【００２０】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２１】
図３は、図２に示したリーダ画像処理部２２２の詳細構成を説明するブロック図である。
【００２２】
図３において、リーダ画像処理部２２２では、プラテンガラス２１１上の原稿は、ＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤでそれぞれＲＧＢフィルをそれぞれのＣＣＤ毎に並べたものでも構わないし、フィルタがオンチップ化または、フィルタがＣＣＤと別構成になったものでも構わない）。
【００２３】
そして、その電気信号（アナログ画像信号）は、画像処理部２２２に入力され、クランプ＆Ａｍｐ．＆Ｓ／Ｈ＆Ａ／Ｄ部４０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号は、シェーディング部４０２で、シェーディング補正及び黒補正が施された後、制御装置１１０へと出力される。
【００２４】
図４は、図３に示した制御装置１１０の詳細構成を説明するブロック図である。
【００２５】
図４において、１１１はメインコントローラで、主にＣＰＵ１１２と、バスコントローラ１１３と、各種Ｉ／Ｆコントローラ回路から構成されている。
【００２６】
ＣＰＵ１１２とバスコントローラ１１３は制御装置１１０全体の動作を制御するものであり、ＣＰＵ１１２はＲＯＭ１１４からＲＯＭＩ／Ｆ１１５を経由して読み込んだプログラムに基づいて動作する。
【００２７】
また、ホストコンピュータから受信したＰＤＬ（ページ記述言語）コードデータを解釈し、ラスタイメージデータに展開する動作も、このプログラムに記述されており、ソフトウエアによって処理される。そして、バスコントローラ１１３は、各Ｉ／Ｆから入出力されるデータ転送を制御するものであり、バス競合時の調停やＤＭＡデータ転送の制御を行う。
【００２８】
ＤＲＡＭ１１６は、ＤＲＡＭＩ／Ｆ１１７によってメインコントローラ１１１と接続されており、ＣＰＵ１１２が動作するためのワークエリアや、画像データを蓄積するためのエリアとして使用される。
【００２９】
Ｃｏｄｅｃ１１８は、ＤＲＡＭ１１６に蓄積されたラスタイメージデータをＭＨ／ＭＲ／ＭＭＲ／ＪＢＩＧ／ＪＰＥＧ等の各種の圧縮方式で圧縮して、または、逆に圧縮され蓄積されたコードデータをラスタイメージデータに伸長する。
【００３０】
ＳＲＡＭ１１９は、Ｃｏｄｅｃ１１８の一時的なワーク領域として使用される。Ｃｏｄｅｃ１１８は、Ｉ／Ｆ１２０を介してコントローラ１１１と接続され、ＤＲＡＭ１１６との間のデータの転送は、バスコントローラ１１３によって制御されＤＭＡ転送される。
【００３１】
ＧｒａｐｈｉｃＰｒｏｃｅｓｓｏｒ１３５は、ＤＲＡＭ１１６に蓄積されたラスタイメージデータに対して、画像回転、画像変倍、色空間変換、２値化の処理をそれぞれ行う。ＳＲＡＭ１３６は、ＧｒａｐｈｉｃＰｒｏｃｅｓｓｏｒ１３５の一時的なワーク領域として使用される。ＧｒａｐｈｉｃＰｒｏｃｅｓｓｏｒ１３５は、Ｉ／Ｆ１３７を介してメインコントローラ１１１と接続され、ＤＲＡＭ１１６との間のデータの転送は、バスコントローラ１１３によって制御されＤＭＡ転送される。
【００３２】
ＮｅｔｗｏｒｋＣｏｎｔｒｏｌｌｅｒ１２１は、Ｉ／Ｆ１２２によってメインコントローラ１１１と接続され、コネクタ１２２によって外部ネットワークと接続される。汎用高速バス１２５には、拡張ボードを接続するための拡張コネクタ１２４とＩ／Ｏ制御部１２６とが接続される。汎用高速バス１２５としては、一般的にＰＣＩバスが挙げられる。
【００３３】
Ｉ／Ｏ制御部１２６には、リーダ部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００３４】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００３５】
操作部１５０は液晶表示部と液晶表示部上に張り付けられたタッチパネル入力装置と、複数個のハードキーを備える。タッチパネルまたはハードキーにより入力された信号は前述したパネルＩ／Ｆ１３２を介してＣＰＵ１１２に伝えられ、液晶表示部はパネルＩ／Ｆ１３２から送られてきた画像データを表示する。また、液晶表示部には、本画像処理装置の操作における機能表示や画像データ等を表示する。
【００３６】
リアルタイムクロックモジュール１３３は、機器内で管理する日付と時刻を更新／保存するためのもので、バックアップ電池１３４によってバックステップアップされている。
【００３７】
Ｅ−ＩＤＥインタフェース１６１は、外部記憶装置を接続するためのものである。本実施形態においては、このＩ／Ｆを介してハードディスクドライブ１６０を接続し、ハードディスク１６２へ画像データを記憶させたり、ハードディスク１６２から画像データを読み込む動作を行う。
【００３８】
コネクタ１４２，１４７は、それぞれリーダ部２００とプリンタ部３００とに接続され、同調歩同期シリアルＩ／Ｆ１４３，１４８とビデオＩ／Ｆ１４４，１４９とから構成される。
【００３９】
スキャナ１４１は、コネクタ１４２を介してリーダ部２００と接続され、また、スキャナバス１４１によってメインコントローラ１１１と接続されており、リーダ部２００から受け取った画像データに対して所定の処理を施す機能を有し、さらに、リーダ部２００から送られたビデオ制御信号をもとに生成した制御信号を、スキャナバス１４１に出力する機能も備えている。
【００４０】
スキャナバス１４１からＤＲＡＭ１１６へのデータ転送は、バスコントローラ１１３によって制御される。
【００４１】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００４２】
ＤＲＡＭ１１６上に展開されたラスタイメージデータのプリンタ部３００への転送は、バスコントローラ１１３によって制御され、プリンタバス１４６、ビデオＩ／Ｆ１４９，コネクタ１４７等を経由してプリンタ部３００へＤＭＡ転送される。
【００４３】
図５は、図４に示したスキャナＩ／Ｆ１４０の周辺回路の詳細を説明するブロック図であり、図４と同一のものには同一の符号を付してある。
【００４４】
図５において、リーダ部２００からコネクタ１４２を介して送られる画像信号に対して、つなぎ＆ＭＴＦ補正部６０１で、ＣＣＤ２１８が３ラインＣＣＤの場合、つなぎ処理はライン間の読み取り位置が異なるため、読み取り速度に応じてライン毎の遅延量を調整し、３ラインの読み取り位置が同じになるように信号タイミングを補正し、ＭＴＦ補正は読み取り速度によって読み取りのＭＴＦが変わるため、その変化を補正する。
【００４５】
読み取り位置タイミングが補正されたデジタル信号は像域判定部６０２によって、画像から文字エッジを抽出し、画像を文字部と非文字部に分離する。像域判定部６０２の出力は、ＡＣＳカウント部４０５及びメインコントローラ１１１へと送られる。
【００４６】
図６は、図５に示したＡＣＳカウント部４０５の詳細構成を説明するブロック図である。
【００４７】
図６において、オートカラーセレクト（ＡＣＳ）は、原稿がカラーなのか白黒なのかを判断する。つまり、画素毎の彩度を求めてあるしきい値以上の画素がどれだけ存在するかでカラー判定を行うものである。
【００４８】
しかし、白黒原稿であっても、ＭＴＦ等の影響により、ミクロ的に見るとエッジ周辺に色画素が多数存在し、単純に画素単位でＡＣＳ判定を行うのは難しい。このようなＡＣＳ手法は様々な方法が提供されている。本実施形態では、ＡＣＳの方法については何ら限定されることはないため、一般的な例で説明を行う。
【００４９】
前述したように白黒画像でもミクロ的に見ると色画素が多数存在するわけであるから、その画素が本当に色画素であるかどうかは、注目画素に対して周辺の色画素の情報で判定する必要がある。
【００５０】
そこで、フィルタ５０１は、注目画素に対して周辺画素を参照するためにＦＩＦＯ構造を採用するメモリを備えている。５０２は領域検出回路で、メインコントローラ１１１からレジスタ５０７〜５１０にセットされた値と、リーダ部２００から送られるビデオ制御信号５１２に基づいて、ＡＣＳを×領域信号５０５を生成する。
【００５１】
５０３は色判定部で、ＡＣＳをかける領域信号５０５に基づき、注目画素に対してフィルタ５０１内の上記メモリ内の周辺画素を参照して、注目画素が色画素か白黒画素かを決定する。
【００５２】
５０４はカウンタで、色判定部５０３が出力した色判定信号の個数をカウントする。
【００５３】
このように構成されたＡＣＳカウント部４０５において、メインコントローラ１１１は読み込み範囲に対してＡＣＳをかける領域を決定し、レジスタ５０７〜５１０に設定する（本実施形態では、原稿に対して独立で範囲を決定する構成となっている）。
【００５４】
また、メインコントローラ１１１は、ＡＣＳをかける領域内での色判定信号の個数を計数するカウンタの値を、所定のしきい値と比較し、当該原稿がカラーなのか白黒なのかを判断する。
【００５５】
また、レジスタ５０７〜５１０には、主走査方向、副走査方向それぞれについて、色判定部５０３が判定を開始する位置、判定を終了する位置をリーダ部２００から送られたビデオ信号５１２に基づいて設定しておく。本実施形態では、実際の原稿の大きさよりもそれぞれ１０ｍｍ程度小さめに設定している。
【００５６】
図７は、図４に示したプリンタＩ／Ｆ１４５の詳細構成を説明するブロック図であり、図４と同一のものには同一の符号を付してある。
【００５７】
図７において、メインコントローラ１１１からプリンタバス１４６を介して送られる画像信号は、まず、ＬＯＧ変換部７０１に入力される。ＬＯＧ変換部７０１では、ＬＯＧ変換によりＲＧＢ信号からＣＭＹ信号に変換する。そして、モアレ除去部７０２でモアレが除去される。
【００５８】
そして、ＵＣＲ＆マスキング部７０３で、モアレ除去処理されたＣＭＹ信号はＵＣＲ処理でＣＭＹＫ信号が生成され、マスキング処理部でプリンタの出力にあった信号に補正される。
【００５９】
また、ＵＣＲ＆マスキング部７０３では、処理された信号がγ補正部７０４で濃度調整された後、フィル部７０５でスムージングまたはエッジ処理される。これらの処理を経て、コネクタ１４７を介してプリンタ部３００へと画像データが送られる。
【００６０】
図８は、図４に示したＧｒａｐｈｉｃＰｒｏｃｅｓｓｏｒ１３５の詳細構成を説明するブロック図であり、図４と同一のものには同一の符号を付してある。
【００６１】
図８において、ＧｒａｐｈｉｃＰｒｏｃｅｓｓｏｒ１３５は、画像回転部８０１、画像変倍部８０２、色空間変換部８０３、２値化部８０５等のモジュールを備える。なお、８０４はＬＵＴ部で、色空間変換部８０３が参照するルックアップテーブル部である。
【００６２】
ＳＲＡＭ１３６は、各モジュールとしての画像回転部８０１、画像変倍部８０２、色空間変換部８０３、２値化部８０５の一時的なワーク領域として使用される。各モジュールとしての画像回転部８０１、画像変倍部８０２、色空間変換部８０３、２値化部８０５が使用するＳＲＡＭ１３６のワーク領域が競合しないように、あらかじめ各々のモジュール毎にワーク領域が静的に割り当てられているものとする。
【００６３】
ＧｒａｐｈｉｃＰｒｏｃｅｓｓｏｒ１３５は、Ｉ／Ｆ１３７を介してメインコントローラ１１１と接続され、ＤＲＡＭ１１６との間のデータの転送は、バスコントローラ１１３によって制御されＤＭＡ転送される。
【００６４】
バスコントローラ１１３は、ＧｒａｐｈｉｃＰｒｏｃｅｓｓｏｒ１３５の各々モジュールにモード等を設定する制御及び、各々のモジュールに画像データを転送するためのタイミング制御を行う。
【００６５】
以下、図８に示した画像回転部８０１の画素処理例について図９，図１０を参照して説明する。
【００６６】
図９、図１０は、図８に示した画像回転部８０１の画素処理例を説明する図である。
【００６７】
Ｉ／Ｆ１３７を介して、ＣＰＵ１１２からバスコントローラ１１３に画像回転制御のための設定を行う。この設定により、バスコントローラ１１３は、画像回転部８０１に対して画像回転に必要な設定、例えば画像サイズや回転方向、角度等の設定を行う。そして、必要な設定を行った後、再度ＣＰＵ１１２からバスコントローラ１１３に対して画像データ転送の許可を行う。
【００６８】
この許可に従い、バスコントローラ１１３はＤＲＡＭ１１６もしくは各Ｉ／Ｆを介して接続されているデバイスから画像データの転送を開始する。なお、ここでは回転を行う画像サイズを３２画素×３２ラインとして、また、画像バス２００８上の画像データを転送させる際に、２４ｂｙｔｅ（ＲＧＢ各８ｂｉｔで１画素分）を単位とする画像転送を行うものとする。
【００６９】
上述のように、３２画素×３２ラインの画像を得るためには、図９に示す如く、上述の単位データ転送を３２×３２回行う必要があり、かつ、不連続なアドレスから画像データを転送する必要がある。
【００７０】
また、不連続アドレッシングにより転送された画像データは、読み出し時に所望の角度に回転されているように、ＳＲＡＭ１３６に書き込まれる。例えば９０度反時計方向回転であれば、転送される画像データを、例えば図１０に示すように、Ｙ方向に書き込んで行く。読み出し時に、Ｘ方向に読み出すことで、画像データが回転される。
【００７１】
このようにして、３２画素×３２ラインの画像回転処理（ＳＲＡＭ１３６への書き込み）が完了した後、画像回転部８０１はＳＲＡＭ１３６から上述した読み出し方法で画像データを読み出し、バスコントローラ１１３に画像データを転送する。そして、回転処理された画像データを受け取ったバスコントローラ１１３は、連続アドレッシングを以て、ＤＲＡＭ１１６もしくはＩ／Ｆ上の各デバイスにデータを転送する。
【００７２】
こうした一連の処理は、ＣＰＵ１１２からの処理要求が無くなるまで（必要なページ数の処理が終わったとき）繰り返される。
【００７３】
次に、図８に示した画像変倍部８０２の画像データ変倍処理について説明する。
【００７４】
Ｉ／Ｆ１３７を介して、ＣＰＵ１１２からバスコントローラ１１３に画像変倍制御のための設定を行う。この設定により、バスコントローラ１１３は画像変倍部８０２に対して画像変倍に必要な設定（主走査方向の変倍率、副走査方向の変倍率、変倍後の画像サイズ等）を行う。必要な設定を行った後、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００７５】
画像変倍部８０２は、受け取った画像データを一時ＳＲＡＭ１３６に格納し、これを入力バッファとして用いて、格納したデータに対して主走査、副走査の変倍率に応じて必要な画素数、ライン数の分の補間処理を行って画像データを拡大もしくは縮小することで、変倍処理とする。そして、変倍後のデータは、再度ＳＲＡＭ１３６へ書き戻し、これを出力バッファとして画像変換部８０２は、ＳＲＡＭ１３６から画像データを読み出し、バスコントローラ１１３に転送する。
【００７６】
次に、図８に示した色空間変換部８０３の色空間変換処理について説明する。
【００７７】
Ｉ／Ｆ１３７を介して、ＣＰＵ１１２からバスコントローラ１１３に色空間変換制御のための設定を行う。この設定により、バスコントローラ１１３は色空間変換部８０３およびＬＵＴ８０４に対して色空間変換処理に必要な設定（後述する数１に基づく、マトリクス演算の係数、ＬＵＴ８０４のテーブル値等）を行う。そして、必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００７８】
色空間変換部８０３は、受け取った画像データ１画素ごとに対して、まず、下記の数１で表される３×３のマトリクス演算処理を施す。
【００７９】
【数１】
2006148445.tif 000003
なお、上記数１において、Ｒ、Ｇ、Ｂが入力で、Ｘ、Ｙ、Ｚが出力で、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００８０】
そして、上記演算処理によって、例えばＲＧＢ色空間からＹｕｖ色空間への変換など、各種の色空間変換を行うことができる。
【００８１】
次に、マトリクス演算後のデータに対して、ＬＵＴ８０４による変換を行う。これによって、非線形の変換も行うことができる。当然、スルーのテーブルを設定することにより、実質的にＬＵＴ変換を行わないこともできる。
【００８２】
その後、色空間変換部８０３は、色空間変換処理された画像データをバスコントローラ１１３に転送する。そして、色空間変換処理された画像データを受け取ったバスコントローラ１１３は、ＤＲＡＭ１１６もしくはＩ／Ｆ上の各デバイスにデータを転送する。
【００８３】
次に、図８に示した画像２値化部８０５の画像２値化処理について説明する。
【００８４】
Ｉ／Ｆ１３７を介して、ＣＰＵ１１２からバスコントローラ１１３に２値化制御のための設定を行う。この設定によりバスコントローラ１１３は画像２値化部８０５に対して２値化処理に必要な設定（変換方法に応じた各種パラメータ等）を行う。そして、必要な設定を行った後に、再度ＣＰＵ１１２からバスコントローラ１１３に対して画像データ転送の許可を行う。この許可に従い、バスコントローラ１１３は、ＤＲＡＭ１１６もしくは各Ｉ／Ｆを介して接続されているデバイスから画像データの転送を開始する。
【００８５】
画像２値化部８０５は、受け取った画像データに対して２値化処理を施す。本実施形態では、２値化の手法として、画像データを所定のしきい値と比較して単純に２値化するものとする。もちろん、ディザ法、誤差拡散法、誤差拡散法を改良したものなど、いずれの手法によってもかまわない。
【００８６】
その後、画像２値化部８０５は、２値化処理された画像データをバスコントローラ１１３に転送する。そして、２値化処理された画像データを受け取ったバスコントローラ１１３は、ＤＲＡＭ１１６もしくはＩ／Ｆ上の各デバイスにデータを転送する。
【００８７】
図１１は、本発明に係る画像処理装置における第１のデータ処理手順の一例を示すフローチャートであり、ＰＤＬ画像データ出力処理手順の一例に対応する。なお、Ｓ３００１〜Ｓ３００８は各ステップを示す。
【００８８】
ＰＤＬ画像データを出力する場合、ステップＳ３００１では、ＰＣ４０１上でユーザが当該ＰＤＬ画像出力ジョブのプリント設定を行う。ここで設定されるプリント設定の内容とは、部数、用紙サイズ、片面／両面、ページ出力順序、ソート出力、ステイプル止めの有無等である。
【００８９】
次に、ステップＳ３００２で、ＰＣ４０１上で印刷指示を与え、それと共に、ＰＣ４０１上にインストールされているドライバソフトウエアが、印刷対象となるＰＣ４０１上のコードデータを、いわゆるＰＤＬデータに変換して、ステップＳ３００１で設定したプリント設定パラメータとともに、画像入出力装置の制御装置１１０に対して、ネットワーク４００を介してＰＤＬデータを転送する。
【００９０】
そして、ステップＳ３００３では、制御装置１１０のメインコントローラ１１１のＣＰＵ１１２が、コネクタ１２２およびネットワークコントローラ１２１を介して転送されたＰＤＬデータを前記プリント設定パラメータに基づいて、画像データに展開（ラスタライズ）する。なお、画像データの展開は、ＤＲＡＭ１１６上に行われる。このようにして、画像データの展開処理が完了すると、ステップＳ３００４へ進み。
【００９１】
そして、ステップＳ３００４で、メインコントローラ１１１がＤＲＡＭ１１６上に展開された画像データを、ＧｒａｐｈｉｃＰｒｏｃｅｓｓｏｒ１３５に転送する。
【００９２】
次に、ステップＳ３００５で、ＧｒａｐｈｉｃＰｒｏｃｅｓｓｏｒ１３５が前記プリント設定パラメータとは独立に、画像処理を行う。例えば、前記プリント設定パラメータで指定された用紙サイズがＡ４であるにもかかわらず、プリンタ部３００の給紙ユニット３６０には、Ａ４Ｒ用紙しかない場合には、ＧｒａｐｈｉｃＰｒｏｃｅｓｓｏｒ１３５で画像データを、図１０に示した手順（手法）で９０度回転処理することによって、出力用紙に合わせた画像出力を行うことができる。そして、当該画像処理（回転処理）が完了したら、ステップＳ３００６へ進む。
【００９３】
そして、ステップＳ３００６で、ＧｒａｐｈｉｃＰｒｏｃｅｓｓｏｒ１３５がメインコントローラ１１１へ画像処理後の画像データを転送する。メインコントローラ１１１は、転送されてきた画像データをＤＲＡＭ１１６上に記憶する。
【００９４】
次に、ステップＳ３００７では、メインコントローラ１１１はプリンタＩ／Ｆ１４５およびコネクタ１４７を介して、プリンタ部３００を制御しつつ、適切なタイミングでＤＲＡＭ１１６上の画像データを、プリンタ部３００へと転送する。
【００９５】
そして、ステップＳ３００８で、制御装置１１０が、プリンタ部３００を制御して、画像処理済みの画像データをプリント出力して、すなわち、画像データの転送が完了したら（当該ＰＤＬジョブが終了すると）、本処理を終了する。
【００９６】
図１２は、本発明に係る画像処理装置における第２のデータ処理手順の一例を示すフローチャートであり、コピー画像出力処理手順の一例に対応する。なお、Ｓ４００１〜Ｓ４００７は各ステップを示す。
【００９７】
コピー画像を出力する場合、ステップＳ４００１で、操作部１５０上でユーザが当該コピー画像出力ジョブのコピー設定を行う。ここで、コピー設定の内容とは、部数、用紙サイズ、片面／両面、拡大／縮小率、ソート出力、ステイプル止めの有無等である。
【００９８】
次に、ステップＳ４００２では、操作部１５０上でコピー開始指示を与えると、制御装置１１０のメインコントローラ１１１はスキャナＩ／Ｆ１４０およびコネクタ１４２を介してリーダ部２００を制御して、原稿の画像データを読み込む。画像データは、ＤＲＡＭ１１６上に記憶される。
【００９９】
なお、従来のコピー機では、コピー設定の拡大／縮小率の設定に応じて、すなわち、副走査方向の変倍率に応じて光学ユニット２１３の移動速度を変化させることにより、副走査方向の変倍処理を実現していた。
【０１００】
しかしながら、本実施形態では、コピー設定の拡大／縮小率の設定に関わらず、必ず等倍（１００％）で画像データを読み取り、変倍処理については、主走査方向、副走査方向とも、後述するＧｒａｐｈｉｃＰｒｏｃｅｓｓｏｒ１３５によって行うものとする。
【０１０１】
そして、ステップＳ４００３では、メインコントローラ１１１がＤＲＡＭ１１６上の画像データを、ＧｒａｐｈｉｃＰｒｏｃｅｓｓｏｒ１３５に転送する。
【０１０２】
次に、ステップＳ４００４では、ＧｒａｐｈｉｃＰｒｏｃｅｓｓｏｒ１３５が、前記コピー設定パラメータに基づいて画像処理を行う。
【０１０３】
例えば拡大４００％の設定がなされているときは、ＧｒａｐｈｉｃＰｒｏｃｅｓｓｏｒ１３５内のモジュールである画像変倍部８０２を用いて、主走査方向、副走査方向、双方への変倍処理を行う。このようにして画像データの画像処理が完了したら、ステップＳ４００５へ進む。
【０１０４】
次に、ステップＳ４００５では、ＧｒａｐｈｉｃＰｒｏｃｅｓｓｏｒ１３５がメインコントローラ１１１へ画像処理後の画像データを転送する。メインコントローラ１１１は転送されてきた画像データをＤＲＡＭ１１６上に記憶する。
【０１０５】
そして、ステップＳ４００６では、メインコントローラ１１１は、プリンタＩ／Ｆ１４５およびコネクタ１４７を介して、プリンタ部３００を制御しつつ、適切なタイミングでＤＲＡＭ１１６上の画像データをプリンタ部３００へと転送する。そして、ステップＳ４００７では、制御装置１１０がプリンタ部３００を制御して、画像データをプリント出力する。このようにして、画像データの転送が完了すると、すなわち、当該コピージョブが終了すると、本処理を終了する。
【０１０６】
以下、図１３〜図１９を参照して、本実施形態におけるパーソナルボックス機能について詳細に説明する。
【０１０７】
図１３は、図１に示した操作部１５０のキー配列を示す平面図である。
【０１０８】
図において、１５０１は電源スイッチで、本体への通電を制御する。１５０２は予熱キーで、予熱モードのＯＮ／ＯＦＦに使用する。１５０３はコピーＡモードキーで、複数の機能の中からコピーＡモードを選択するときに使用する。１５０４はコピーＢモードキーで、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために二つのコピーに分けている。
【０１０９】
１５０５はボックスキーで、複数の機能の中からボックスモードを選択するときに使用する。ボックス機能とは、ユーザ個人や部署毎に複写機内のメモリに記憶領域を持ち、そこにＰＤＬやスキャン画像を入れておき、好きなときに出力する機能である。
【０１１０】
１５０６は拡張キーで、ＰＤＬに対する操作を行うときに使用する。１５０３〜１５０６は後述するＬＣＤ１５１６の各々の機能画面を呼び出すときにも使用され、ＬＣＤ１５１６の表示により各々のジョブの状況を見ることができる。
【０１１１】
１５０７はコピースタートキーで、コピーの開始を指示するときに用いるキーである。１５０８はストップキーで、コピーを中断したり、中止したりするときに用いるキーである。１５０９はリセットキーで、スタンバイ中は標準モードに復帰させるキーとして動作する。
【０１１２】
１５１０はガイドキーで、各機能を知りたいときに使用するキーである。１５１１はユーザモードキーで、ユーザがシステムの基本設定を変更するときに使用する。１５１２は割り込みキーで、コピー中に割り込みしてコピーしたいときに用いる。１５１３はテンキーで、数値の入力を行うときに使用する。
【０１１３】
１５１４はクリアキーで、数値をクリアするときに用いる。１５１５はＩＤキーで、複写機を使用する場合にＩＤの入力モードに移行するときに使用する。１５１６は液晶画面とタッチセンサの組合せからなるＬＣＤタッチパネルであり、各モード毎に個別の設定画面が表示され、さらに、描画されたキーに触れることで、各種の詳細な設定を行うことが可能である。また、各々のジョブの動作状況表示なども行う。
【０１１４】
１５１７はネットワークの通信状態を示すタリーランプで、通常緑色で、通信しているときは緑色で点滅し、ネットワークエラーの場合には赤色になる。
【０１１５】
１５１８はＡＣＳ（オートカラーセレクト）キーで、コピー原稿がカラーか白黒かを自動的に判別し、カラーならばカラーで、白黒ならば黒単色でスキャンするモードを設定する場合に使用する。１５１９はフルカラーモードキーで、コピー原稿に関わらずフルカラーでスキャンするモードを設定する場合に使用する。１５２０はブラックモードキーで、コピー原稿に関わらず黒単色でスキャンするモードを設定する場合に使用する。１５１８〜１５２０はトグル動作し、必ずどれか一つが選択されており、選択されているキーが点灯している。
【０１１６】
図１４は、図１３に示した操作パネル１５１６のコピー標準画面の一例を示した模式図である。本実施形態の画像処理装置は、電源投入時にデフォルトとして、このコピー標準画面で起動するようになっている。
【０１１７】
図において、１６０１はメッセージラインで、コピージョブの状態をメッセージで表示する。１６０２は倍率表示で、設定された倍率やコピーモードによって自動的に決められる倍率をパーセントで表示する。１６０３は用紙サイズ表示で、選択された出力用紙を表示し、自動用紙選択が設定されている場合にはオート用紙というメッセージを表示する。
【０１１８】
１６０４は置数表示で、何枚コピーするかを示す。１６０５は縮小キーで、縮小コピーを行いたい場合に使用する。１６０６は等倍キーで、縮小や拡大が設定されている場合に等倍に戻したいときに使用する。１６０７は拡大キーで、拡大コピーを行いたい場合に使用する。１６０８はズームキーで、細かい単位で倍率を設定して縮小コピーや拡大コピーを行いたい場合に使用する。
【０１１９】
１６０９は用紙選択キーで、出力用紙を指定する場合に使用する。１６１０はフィニッシャキーで、ソートやステイプルのモードを設定する場合に使用する。１６１１は両面キーで、両面モードを設定する場合に使用する。
【０１２０】
１６１２は濃度表示で、現在の濃度が分かるようになっており、左側が濃度が薄く、右側が濃度が濃いことを示す。また、濃度表示１６１２は、うすくキー１６１３、こくキー１６１５と連動して表示が変化するようになっている。うすくキー１６１３は、濃度を薄くしたい場合に使用する。こくキー１６１５は、濃度を濃くしたい場合に使用する。１６１４は自動キーで、自動的に濃度を決定するモードを使用する場合に使用する。
【０１２１】
１６１６は文字キーで、文字原稿をコピーするのに適した濃度に自動的に設定する文字モードを設定する場合に使用する。１６１７は文字／写真キーで、写真が混在した原稿をコピーするのに適した濃度に自動的に設定する文字／写真モードを設定する場合に使用する。１６１８は応用モードキーで、コピー標準画面で設定できない様々なコピーモードを設定する場合に使用する。
【０１２２】
１６１９はシステム状況キーで、現在この画像入出力システム１００で行われているプリントやスキャンの状況を見たい場合に使用する。このシステム状況キー１６１９は、コピー標準画面だけではなく、常にこの位置に現れており、いつでもこのキーを押すことによりシステムの状況を見ることができるようになっている。
【０１２３】
また、図１４では図示していないが、領域１６２０は、メッセージライン１６０１で表示する必要のない優先度の低いアラームや、他の機能の実行状態などをメッセージ表示するステータスラインである。
【０１２４】
図１５は、図４に示したハードディスク１６２の論理的な使用方法を示した図である。
【０１２５】
図に示すように、本実施形態においては使用用途に応じてハードディスクの記憶領域をテンポラリ領域７０１とボックス領域１７０２に論理的に分ける。テンポラリ領域１７０１は、画像データの出力順序を変えたり、複数部出力においても一回のスキャンで出力ができるようにするために、ＰＤＬの展開データやスキャナからの画像データを一時的に記憶する記憶領域である。
【０１２６】
ボックス領域１７０２はボックス機能を使用するための記憶領域であり、１７０３〜１７０７のように登録された数の小さな記憶領域に分割されている。ボックス１７０３〜１７０７は、各ユーザや会社などの部署毎に割り当てられ、各ボックスにはボックス名とパスワードを付けることができる。ユーザはボックスを指定することでＰＤＬジョブやスキャンジョブを各ボックス入力することができ、パスワードを入力することで実際にボックスの中を見たり、設定変更やプリント出力を行う。
【０１２７】
図１６は、本発明の画像形成装置の第３の制御処理手順の一例を示すフローチャートであり、本実施形態におけるボックス登録の手順に対応する。なお、本実施形態におけるボックスへの登録は、ホストコンピュータからのＰＤＬ画像と、スキャナからのスキャン画像の登録があり、（ａ）はホストコンピュータ（図１に示したＰＣ４０１，４０２）からのＰＤＬ画像のボックス登録手順に対応し、（ｂ）はスキャナ（図１に示したリーダ部２００）からのスキャン画像のボックス登録処理に対応する。なお、図中のＳ１８０１〜Ｓ１８０８は各ステップを示す。また、（ａ）のフローチャートは、図１に示したＰＣ４０１，４０２内の図示しないＣＰＵ，図４に示したＣＰＵ１１２により記憶媒体に格納されたプログラムに基づいて実行され、（ｂ）のフローチャートは、図４に示したＣＰＵ１１２により記憶媒体に格納されたプログラムに基づいて実行されるものとする。
【０１２８】
まず、図１６（ａ）を参照して図１に示したＰＣ４０１，４０２からのＰＤＬ画像をボックス登録する場合について説明する。
【０１２９】
まず、ステップＳ１８０１では、ＰＣ４０１，４０２上でユーザがプリント設定を行いＳ１８０２に進む。プリント設定内容は、部数、用紙サイズ、拡大縮小率、片面／製本、ページ出力順序、ソート出力、ステイプル止めの有無等である。
【０１３０】
次に、ステップＳ１８０２では、ＰＣ４０１，４０２上でボックス番号を設定することで、ハードディスク１６２のボックス領域１７０２内の領域が指定され、ステップＳ１８０３に進む。例えば、ボックス番号が１と指定されると、ボックス領域１７０２内のパーソナルボックス領域１７０３が指定されることなる。
【０１３１】
次に、ステップＳ８０３では、ＰＣ４０１，４０２上で印刷指示を与え、それと共にＰＣ４０１，４０２上にインストールされているドライバソフトウェアが印刷対象となるコードデータをいわゆるＰＤＬデータに変換して、ステップＳ１８０１で設定したプリント設定パラメータとともに、本画像入出力装置の制御装置１１０にＰＤＬデータを転送し、ステップＳ１８０４に進む。
【０１３２】
ステップＳ１８０４では、転送されたＰＤＬデータを画像データに展開（ラスタライズ）する。画像データの展開が完了すると、ステップＳ１８０５に進む。
【０１３３】
そして、ステップＳ１８０５では、展開された画像データがハードディスク１６２のボックス領域領域１７０２に順次記録され、例えばステップＳ１８０２で指定されたボックス番号が「１」のときは、領域１７０３内に記憶される。このとき、ステップＳ１８０１で設定したプリント設定パラメータも領域１７０３に記録される。なお、ステップＳ１８０２で指定されたボックス番号が「２」、「３」のときは、それぞれ領域１７０４、領域１７０５に記憶されるものとする。
【０１３４】
次に、図１６（ｂ）を参照して図１に示したリーダ部２００からのスキャン画像をボックス登録する場合について説明する。
【０１３５】
まず、ステップＳ１８０６において、操作部１５０により画像を入力するボックス番号を指定し、ステップＳ１８０７に進む。
【０１３６】
ステップＳ１８０７では、画像処理等のスキャン設定を操作部１５０により指定し、ステップＳ１８０８に進む。
【０１３７】
ステップＳ１８０８では、スキャンスタートの指示を出す（図１３に示したコピースタートキー１５０７を押下する）ことで、リーダ部２００で原稿を読み取り、ステップＳ１８０９に進む。
【０１３８】
ステップＳ１８０９では、ステップＳ１８０８で読み取った画像をステップＳ１８０６で指定したボックス領域に格納する。
【０１３９】
図１７は、図１３に示した操作パネル１５００のボックスキー１５０５を押下した場合のＬＣＤ１５１６の表示を示す模式図であり、ボックス選択画面に対応する。
【０１４０】
図において、９００はボックスを選択する画面（ボックス選択画面）である。ボックス選択画面９００において、９０１は各ボックスの情報を示しており、そのボックス番号９０１ａ、ボックス名９０１ｂ、ハードディスク１６２のボックス領域１７０２に対してそのボックスがどれだけ容量をとっているかの情報９０１ｃを表示する。ボックス番号９０１ａを押下すると、図１８に示すパスワード入力画面に遷移する。
【０１４１】
１９０２，１９０３はそれぞれ上下スクロールキーであり、９０１の表示を越える数のボックスが登録されているときに、画面をスクロールする場合に使用する。
【０１４２】
図１８は、図１７に示したボックス選択画面９００のボックス番号９０１ａを押圧した場合のＬＣＤ１５１６の表示を示す模式図であり、パスワード入力画面に対応する。
【０１４３】
図において、１０００はパスワード入力画面であり、この画面から各ボックスに設定されているパスワードを入力することで図１９に示すボックス内画面に遷移し、各ボックスにアクセスできるようになる。なお、パスワードが違う場合には、図示していない警告画面に遷移し、ボックスにはアクセスできない。
【０１４４】
パスワード入力画面１０００において、１００３はパスワード表示欄で、操作部１５０のテンキーや１５１３やタッチパネル１５１６から入力されたパスワードを伏せ文字で表示する。
【０１４５】
１００１は取消キーで、キーを押下することで図１７に示したボックス選択画面９００に戻る。１００２はＯＫキーで、このキーを押下することで入力したパスワードの確定となり、パスワードの検証が行われる。
【０１４６】
図１９は、図１８に示したパスワード入力画面１０００のＯＫキー１００２を押下しパスワードが正しいと判断された場合のＬＣＤ１５１６の表示を示す模式図であり、ボックス内ファイル表示画面に対応する。
【０１４７】
図において、１１００はボックス内ファイル表示画面である。ボックス内ファイル表示画面１１００において、１１０１はボックス内のファイルリストで、各ファイルの登録日時１１０ａ、ファイル名１１０１ｂがリスト表示される。ファイルを選択するにはファイル名１１０１ｂを押下し、現在選択されているファイルは反転表示される。
【０１４８】
１１０２はスキャンキーで、現在開いているボックスにスキャナから画像を入力する場合に使用し、図示していないスキャンの設定画面に遷移する。１１０３はプリントキーで、ファイルリスト１１０１で選択しているファイルをプリントする場合に使用する。
【０１４９】
１１０４は色変換キーで、ファイルリスト１１０１で選択しているファイルの色変換を行う場合に使用し、図示していない色変換画面に遷移する。１１０５は消去キーで、ファイルリスト１１０１で選択しているファイルを消去する場合に使用する。
【０１５０】
１１０６，１１０７はそれぞれ上下スクロールキーであり、ファイルリスト１１０１の表示を超える数のファイルが登録されているときに、画面をスクロールする場合に使用する。１１０７は閉じるキーで、図１７に示したボックス選択画面９００に戻るときに使用する。
【０１５１】
次に本実施例の中心部となる処理について図２０を用いて説明する。
【０１５２】
まず、ｓ２００１において原稿をスキャンし、ｓ２００２において得られた画像データに対して像域判定及びカラー判定を行い、画像データに対応する属性データを取得する。その後、ｓ２００３において画像データを属性データと共にメモリに格納する。
【０１５３】
その後、画像をデータ送信する際には、ｓ２００４において送信用画像データを作成するために色空間変換を行う。送信画像としてはあらかじめ、公知のＪＦＩＦヘッダーを記述しておき、その続きから、画像データとして変換画像データをメモリに書き出す（ｓ２００５）。メモリ上の画像データはｓ２００６において属性データと共にＤＭＡ転送処理を介してＨＤＤに格納される。画像データは送信時、ｓ２００７において属性データと共にＨＤＤからＤＭＡ転送処理を介してメモリ上に読み出される。読み出された画像データは送信アプリケーションにより送信されるが、その際、ｓ２００８において送信先を問い合わせ、送信先が複合機である場合には、ｓ２０１０において画像データと共に属性データを送信し、送信先が複合機以外の場合には、ｓ２００９において画像データのみを送信し、属性データは破棄する。
【図面の簡単な説明】
【０１５４】
【図１】本発明の第１実施形態を示す画像処理装置を適用する画像処理システムの一例を示す図である。
【図２】図１に示したリーダ部およびプリンタ部の構成を説明する概略断面構成図である。
【図３】図２に示したリーダ画像処理部の詳細構成を説明するブロック図である。
【図４】図３に示した制御装置の詳細構成を説明するブロック図である。
【図５】図４に示したスキャナＩ／Ｆの周辺回路の詳細を説明するブロック図である。
【図６】図５に示したＡＣＳカウント部の詳細構成を説明するブロック図である。
【図７】図４に示したプリンタＩ／Ｆの詳細構成を説明するブロック図である。
【図８】図４に示したＧｒａｐｈｉｃＰｒｏｃｅｓｓｏｒの詳細構成を説明するブロック図である。
【図９】図８に示した画像回転部の画素処理例を説明する図である。
【図１０】図８に示した画像回転部の画素処理例を説明する図である。
【図１１】本発明に係る画像処理装置における第１のデータ処理手順の一例を示すフローチャートである。
【図１２】本発明に係る画像処理装置における第２のデータ処理手順の一例を示すフローチャートである。
【図１３】図１に示した操作部のキー配列を示す平面図である。
【図１４】図１３に示した操作パネルのコピー標準画面の一例を示した模式図である。
【図１５】図４に示したハードディスクの論理的な使用方法を示した図である。
【図１６】本発明の画像形成装置の第３の制御処理手順の一例を示すフローチャートである。
【図１７】図１３に示した操作パネルのボックスキーを押下した場合のＬＣＤの表示を示す模式図である。
【図１８】図１７に示したボックス選択画面のボックス番号を押圧した場合のＬＣＤの表示を示す模式図である。
【図１９】図１８に示したパスワード入力画面のＯＫキーを押下しパスワードが正しいと判断された場合のＬＣＤの表示を示す模式図である。
【図２０】画像送信フローを示す図である。
【符号の説明】
【０１５５】
１１１  メインコントローラ
１１２  ＣＰＵ
１１３  バスコントローラ
１１５  ＲＯＭ
１１６  ＤＲＡＭ
１３５  ＧｒａｐｈｉｃＰｒｏｃｅｓｓｏｒ
１３６  ＳＲＡＭ
【図１】
2006148445.tif 000004
【図２】
2006148445.tif 000005
【図３】
2006148445.tif 000006
【図４】
2006148445.tif 000007
【図５】
2006148445.tif 000008
【図６】
2006148445.tif 000009
【図７】
2006148445.tif 000010
【図８】
2006148445.tif 000011
【図９】
2006148445.tif 000012
【図１０】
2006148445.tif 000013
【図１１】
2006148445.tif 000014
【図１２】
2006148445.tif 000015
【図１３】
2006148445.tif 000016
【図１４】
2006148445.tif 000017
【図１５】
2006148445.tif 000018
【図１６】
2006148445.tif 000019
【図１７】
2006148445.tif 000020
【図１８】
2006148445.tif 000021
【図１９】
2006148445.tif 000022
【図２０】
2006148445.tif 000023